(57)【要約】【課題】捕虫シートの取り扱いに要する労力を軽減することができるようにすること。【解決手段】虫を誘引する誘引手段１２と、誘引手段１２の近傍に繰り出される捕虫シート１１と、この捕虫シート１１を繰り出し可能に保持する保持手段１３とを備えて捕虫器１０が構成されている。捕虫シート１１は、帯状をなす基材シート１１Ａと、この基材シート１１Ａの一方の面に積層された接着剤層１１Ｂと、この接着剤層１１Ｂによって仮着された剥離シート１１Ｃとを備えている。保持手段１３は、繰出手段３６の作動によって、捕虫シート１１から剥離手段３４を介して剥離シート１１Ｃを順次剥離して回収すると同時に、捕虫シート１１の未使用の接着剤層１１Ｂを表出する。【選択図】図１
2008092803.tif 000002
【特許請求の範囲】
【請求項１】
虫を誘引する誘引手段と、前記誘引手段の近傍に繰り出される捕虫シートと、この捕虫シートの繰り出しを許容し当該捕虫シートを保持する保持手段とを備えた捕虫器において、
前記捕虫シートは、帯状をなす基材シートと、この基材シートの一方の面に積層された接着剤層と、この接着剤層によって仮着された剥離シートとを含む少なくとも３層構造の積層シートであって、
前記保持手段は、前記捕虫シートから剥離シートを順次剥離して回収すると同時に、捕虫シートの未使用の接着剤層を表出可能に設けられていることを特徴とする捕虫器。
【請求項２】
虫を誘引する誘引手段と、前記誘引手段の近傍に繰り出される捕虫シートと、この捕虫シートの繰り出しを許容し当該捕虫シートを保持する保持手段とを備えた捕虫器において、
前記捕虫シートは、帯状をなす基材シートと、この基材シートの一方の面に積層された接着剤層と、この接着剤層によって仮着された剥離シートとを含む少なくとも３層構造の積層シートであって、
前記保持手段は、捕虫シートを支持する支持手段と、前記捕虫シートから剥離シートを剥離する剥離手段と、支持手段から基材シートを繰り出すための繰出手段とを備え、前記繰出手段の作動によって、剥離手段が捕虫シートから剥離シートを順次剥離して回収すると同時に、捕虫シートの未使用の接着剤層を表出可能に設けられていることを特徴とする捕虫器。
【請求項３】
使用済みの基材シートを巻き取る巻取手段を更に有し、前記剥離手段は、剥離シートを回収する剥離シート回収装置を有する一方、前記繰出手段は、単一の駆動源により剥離シート回収装置及び巻取手段を作動して剥離シート及び基材シートを同時に巻き取り可能に設けられていることを特徴とする請求項２記載の捕虫器。
【請求項４】
前記巻取手段は、巻取軸を含み、この巻取軸は、前記接着剤層を内側に向けて基材シートを巻き取り可能に設けられていることを特徴とする請求項３記載の捕虫器。
【請求項５】
前記支持手段、剥離手段及び巻取手段の少なくとも一つの手段に前記繰り出しの逆方向に進行することを規制する逆行規制手段を更に含むことを特徴とする請求項３又は４記載の捕虫器。
【請求項６】
前記基材シートと誘引手段との間には、基材シートの撓みを抑制するための撓み抑制手段が設けられていることを特徴とする請求項１ないし５の何れかに記載の捕虫器。
【請求項７】
前記接着剤層が表出する基材シートの下側には、虫受け手段が設けられていることを特徴とする請求項１ないし６の何れかに記載の捕虫器。
【請求項８】
前記誘引手段を支持する本体フレームの外側に、電力を供給可能なコンセントを設けたことを特徴とする請求項１ないし７の何れかに記載の捕虫器。
【請求項９】
前記誘引手段を支持する本体フレームは、当該本体フレームを上下方向及び回転方向に移動可能なスタンドを介して支持されていることを特徴とする請求項１ないし８の何れかに記載の捕虫器。
【請求項１０】
捕虫器に設けられ虫を誘引する誘引手段の近傍に、捕虫シートを繰り出すための捕虫シートの取扱方法において、
前記捕虫シートは、帯状をなす基材シートと、この基材シートの一方の面に積層された接着剤層と、この接着剤層によって仮着された剥離シートとを含む少なくとも３層構造の積層シートであって、
前記捕虫器の繰出手段を作動させることにより、捕虫シートから剥離シートを順次剥離して回収すると同時に、捕虫シートの未使用の接着剤層を表出することを特徴とする捕虫シートの取扱方法。
【請求項１１】
前記捕虫器は、使用済みの基材シートを巻き取り可能な巻取手段を備えている一方、前記剥離手段は、剥離シートを巻き取る剥離シート回収装置を含み、前記繰出手段の単一の駆動源により、前記剥離シート回収装置及び巻取手段を作動して剥離シート及び基材シートを同時に巻き取ることを特徴とする請求項１０記載の捕虫シートの取扱方法。
【請求項１２】
前記巻取手段は、巻取軸によって前記接着剤層を内側に向けて基材シートを巻き取ることを特徴とする請求項１１記載の捕虫シートの取扱方法。
【発明の詳細な説明】
【技術分野】
【０００１】
本発明は、捕虫器及びこれに用いる捕虫シートの取扱方法に係り、更に詳しくは、捕虫シートを容易にセットすることができる捕虫器及びこれに用いる捕虫シートの取扱方法に関する。
【背景技術】
【０００２】
従来より、例えば、食品や粘着シート、精密機械等の製品に虫が混入することを防止するために捕虫器が利用されている（特許文献１参照）。特許文献１の捕虫器は、捕虫用の光源と、この光源の周りに設けられた粘着フィルムとを備えている。この捕虫器において、粘着フィルムをセットする場合、先ず、既にセットされた使用済みの粘着フィルムを切断して除去する。その後、粘着フィルムロールから粘着フィルムを引き出し、その端部を支持用ロールに挟み込んだ後、粘着フィルムの離型紙を除去することによりセット作業が完了する。
【０００３】
【特許文献１】実用新案登録第３０９１７６６号公報
【発明の開示】
【発明が解決しようとする課題】
【０００４】
しかしながら、前記特許文献１の捕虫器にあっては、粘着フィルムをセットする度に、粘着フィルムの粘着面から離型紙を剥離する作業が不可欠となり、当該作業が煩雑になるという不都合がある。また、このような捕虫用の接着剤は虫を捕らえやすくするために低凝集力気味に設計されていて非常にべたべたしており、端部を摘む際にこの接着剤が指先に付着するため、取り扱いが非常に厄介である。
しかも、新たな粘着フィルムをセットする毎に、離型紙や使用済みの粘着フィルムを処分する手間も必要となる。特に、使用済み粘着フィルムの処分においては、捕虫器や作業者の手や衣服に粘着剤が不用意に付着するばかりでなく、粘着フィルムに多数の虫が付着しているため、作業自体が不衛生になる、という不都合を招来する。
【０００５】
［発明の目的］
本発明は、このような不都合に着目して案出されたものであり、その目的は、捕虫シートの取り扱いに要する労力を軽減することができる捕虫器及びこれに用いる捕虫シートの取扱方法を提供することにある。
【課題を解決するための手段】
【０００６】
前記目的を達成するため、本発明は、虫を誘引する誘引手段と、前記誘引手段の近傍に繰り出される捕虫シートと、この捕虫シートの繰り出しを許容し当該捕虫シートを保持する保持手段とを備えた捕虫器において、
前記捕虫シートは、帯状をなす基材シートと、この基材シートの一方の面に積層された接着剤層と、この接着剤層によって仮着された剥離シートとを含む少なくとも３層構造の積層シートであって、
前記保持手段は、前記捕虫シートから剥離シートを順次剥離して回収すると同時に、捕虫シートの未使用の接着剤層を表出可能に設けられる、という構成を採っている。
【０００７】
また、本発明は、虫を誘引する誘引手段と、前記誘引手段の近傍に繰り出される捕虫シートと、この捕虫シートの繰り出しを許容し当該捕虫シートを保持する保持手段とを備えた捕虫器において、
前記捕虫シートは、帯状をなす基材シートと、この基材シートの一方の面に積層された接着剤層と、この接着剤層によって仮着された剥離シートとを含む少なくとも３層構造の積層シートであって、
前記保持手段は、捕虫シートを支持する支持手段と、前記捕虫シートから剥離シートを剥離する剥離手段と、支持手段から基材シートを繰り出すための繰出手段とを備え、前記繰出手段の作動によって、剥離手段が捕虫シートから剥離シートを順次剥離して回収すると同時に、捕虫シートの未使用の接着剤層を表出可能に設けられる、という構成を採用している。
【０００８】
本発明において、使用済みの基材シートを巻き取る巻取手段を更に有し、前記剥離手段は、剥離シートを回収する剥離シート回収装置を有する一方、前記繰出手段は、単一の駆動源により剥離シート回収装置及び巻取手段を作動して剥離シート及び基材シートを同時に巻き取り可能に設けられることが好ましい。
【０００９】
また、前記巻取手段は、巻取軸を含み、この巻取軸は、前記接着剤層を内側に向けて基材シートを巻き取り可能に設けられる、という構成が好ましくは採用される。
【００１０】
更に、前記支持手段、剥離手段及び巻取手段の少なくとも一つの手段に前記繰り出しの逆方向に進行することを規制する逆行規制手段を更に含む、という構成も好ましくは採用される。
【００１１】
また、前記基材シートと誘引手段との間には、基材シートの撓みを抑制するための撓み抑制手段が設けるとよい。
【００１２】
更に、前記接着剤層が表出する基材シートの下側には、虫受け手段が設けられることが好ましい。
【００１３】
また、前記誘引手段を支持する本体フレームの外側に、電力を供給可能なコンセントを設ける、という構成も採用される。
【００１４】
更に、前記誘引手段を支持する本体フレームは、当該本体フレームを上下方向及び回転方向に移動可能なスタンドを介して支持されるとよい。
【００１５】
また、本発明の捕虫シートの取扱方法は、捕虫器に設けられ虫を誘引する誘引手段の近傍に、捕虫シートを繰り出すための捕虫シートの取扱方法において、
前記捕虫シートは、帯状をなす基材シートと、この基材シートの一方の面に積層された接着剤層と、この接着剤層によって仮着された剥離シートとを含む少なくとも３層構造の積層シートであって、
前記捕虫器の繰出手段を作動させることにより、捕虫シートから剥離シートを順次剥離して回収すると同時に、捕虫シートの未使用の接着剤層を表出する、という方法を採っている。
【００１６】
前記取扱方法において、前記捕虫器は、使用済みの基材シートを巻き取り可能な巻取手段を備えている一方、前記剥離手段は、剥離シートを巻き取る剥離シート回収装置を含み、前記繰出手段の単一の駆動源により、前記剥離シート回収装置及び巻取手段を作動して剥離シート及び基材シートを同時に巻き取ることが好ましい。
【００１７】
また、前記巻取手段は、巻取軸によって前記接着剤層を内側に向けて基材シートを巻き取るとよい。
【発明の効果】
【００１８】
本発明によれば、未使用の接着剤層を表出する毎に剥離シートを直接手作業で取り扱うことなく剥離及び回収することができる。これにより、従来のような面倒な剥離作業を省略しつつ、接着剤が手や衣服等へ付着することを確実に防止することができ、捕虫シートをセットする作業を容易に行うことが可能となる。また、巻取手段により基材シートを巻き取ることで、使用済みの接着剤が手に触れることを回避でき、捕虫シートのセットや回収を衛生的に行うことが可能となる。
【００１９】
更に、一の駆動源を駆動或いは操作することにより、基材シートと剥離シートとの二つのシートを同時に巻き取ることができ、巻き取り作業の簡略化、迅速化を図ることが可能となる。
【００２０】
また、接着剤層を内側に向けて巻き取ることにより、巻取軸の外周に接着剤層及びこれに付着した虫が露出しなくなるばかりでなく、巻取軸の回転中に、当該巻取軸から虫が落下することを抑制でき、衛生面をより向上させることが可能となる。
【００２１】
更に、逆行規制手段を設けたので、繰り出された基材シートや剥離シートの弛みを回避することができる他、巻取軸に巻き取られた基材シートの接着剤層が再度表出することを防止することが可能となる。
【００２２】
また、基材シートと誘引手段との間に撓み抑制手段を設けたので、誘引手段の近傍で基材シートがばたつくことを回避することができ、接着剤層に付着した虫が不用意に落下することを防止することが可能となる。
【００２３】
更に、表出した接着剤層の下側に虫受け手段を設けた場合、接着剤層に付着した虫が意図することなく落下しても、その虫を虫受け手段により収集することができ、当該虫が捕虫器周りに散乱することを回避することが可能となる。
【００２４】
また、コンセントを設けた場合には、他の捕虫器に電力を供給でき、複数台の捕虫器を直列に並べることができ、電源を一つに集約することが可能となる。
【００２５】
更に、本体フレームを上下方向及び回転方向に移動可能なスタンドを設けたので、捕虫器の設置スペースの制約を緩和でき、使い勝手を向上させることが可能となる。
【発明を実施するための最良の形態】
【００２６】
以下、本発明の好ましい実施の形態について図面を参照しながら説明する。
なお、本明細書及び特許請求の範囲において、「未使用」とは、接着剤層を表出する前の状態を意味する他、捕虫を行うべく接着剤層を表出した直後の状態も意味する。また、「使用済み」とは、捕虫を行った後の状態を意味する他、虫が捕獲されていない状態であっても、所定期間捕虫の用に供した状態も意味する。
更に、本明細書及び特許請求の範囲の方向若しくは位置を示す用語は、特に明示しない限り、図１中矢印Ａ方向から見た場合を基準とし、「前」とは矢印Ａ方向から見た場合の手前側を示す一方、「後」とは、同奥行き側について用いられる。
【００２７】
図１には、本実施形態に係る捕虫器の概略斜視図が示され、図２には、その一部破断斜視図が示されている。また、図３には、その正面図が示され、図４には、その右側面図が示され、図５には、その平面図が示されている。これらの図において、捕虫器１０は、虫を捕獲するための捕虫シート１１と、この捕虫シート１１に沿って位置する誘引手段１２と、捕虫シート１１の繰り出しを許容し保持可能に設けられた保持手段１３と、誘引手段１２と捕虫シート１１との間に設けられた撓み抑制手段としての複数のローラ１５と、この複数のローラ１５の左右両側に位置するガイド手段１６とを備えて構成されている。
【００２８】
前記捕虫シート１１は、ロール状に巻回された状態から下方に向かって繰り出され、誘引手段１２の前方を通過するようになっている。捕虫シート１１は、図６（Ａ）及び（Ｂ）に示されるように、帯状をなす基材シート１１Ａと、この基材シート１１Ａの一方の面（図６（Ｂ）中上面）に積層された接着剤層１１Ｂと、この接着剤層１１Ｂによって仮着された剥離シート１１Ｃとを備えている。基材シート１１Ａの繰り出し方向に沿う両端、すなわち、図６中左右両端に沿う位置には、前記接着剤層１１Ｂを積層しない非接着領域１１Ｄがそれぞれ設けられている。
【００２９】
前記誘引手段１２は、平面視略コ字状の背面フレーム２６と、この背面フレーム２６の左右両側にそれぞれ設けられ、図１中前方へ延びる一対の側板２２とで構成された本体フレーム１９の内部に支持され、蛍光灯１８により構成されている。本体フレーム１９の下端側には、平面視略Ｈ形状をなす脚部材２７が設けられ、捕虫器１０全体が自立できるようになっている。
【００３０】
図４に示されるように、背面フレーム２６の後面には、コンセント２９及び電源ケーブル３０が設けられている。電源ケーブル３０は、そのプラグ３０Ａを電力源となるコンセントに接続することにより、前記コンセント２９及び蛍光灯１８に電力を供給可能に設けられている。従って、電源ケーブル３０により電力供給を受けつつコンセント２９に他の捕虫器１０の電源ケーブル３０を接続すると、一の電力源から複数台の捕虫器１０に電力を供給することが可能となる。
【００３１】
前記保持手段１３は、ロール状に巻回された捕虫シート１１を支持する支持手段３３と、この支持手段３３の前方に隣接する剥離手段３４と、本体フレーム１９の下方に設けられた巻取手段３５と、剥離手段３４及び巻取手段３５に連結され、支持手段３３から巻取手段３５に基材シート１１Ａを繰り出す繰出手段３６とを備えて構成されている。
【００３２】
前記支持手段３３は、ロール状に巻回された捕虫シート１１の回転中心軸位置に設けられた支持軸３８（図５参照）と、この支持軸３８の両端側にそれぞれ設けられた軸受け部材３９と、前記背面フレーム２６の上端側に形成されるとともに、軸受け部材３９を受容し回転を許容する一対の切欠部４０とを備え、ロール状の捕虫シート１１が回転して剥離手段３４側へ繰り出すことができるようになっている。
【００３３】
前記剥離手段３４は、側板２２の上部右側から立設するブラケット４２と、図７に示されるように、捕虫シート１１の剥離シート１１Ｃを折り返して当該剥離シート１１Ｃを上方へ導く剥離用ローラ４３と、剥離用ローラ４３により剥離された剥離シート１１Ｃを回収する剥離シート回収装置としての剥離シート回収軸４４とを備えて構成されている。剥離用ローラ４３及び剥離シート回収軸４４は、ブラケット４２によりそれぞれ片持ち支持されている。剥離シート１１Ｃが剥離された後の基材シート１１Ａは、未使用の接着剤層１１Ｂを表出しつつ上ガイドローラ４６Ａに巻回されて鉛直方向下向きに繰り出され、下ガイドローラ４６Ｂを巻回して巻取手段３５へ案内される。
【００３４】
巻取手段３５は、背面フレーム２６下部右側に設けられたブラケット４７と、基材シート１１Ａを巻き取る巻取軸４９により構成され、巻取軸４９はブラケット４７に片持ち支持されている。
【００３５】
前記繰出手段３６は、剥離シート回収軸４４及び巻取軸４９にそれぞれ連結されたプーリ５１，５２と、これらプーリ５１，５２に掛け回されたベルト５３と、前記剥離シート回収軸４４に連結された操作ハンドル５５とを備えて構成されている。
【００３６】
前記ローラ１５は、図２に示されるように、前記側板２２間の前方に複数設けられ、基材シート１１Ａの後面に位置して基材シート１１Ａが後方に撓んだり、ばたつくことを抑制できるようになっている。
【００３７】
前記ガイド手段１６は、図８（Ａ）及び（Ｂ）に示されるように、鉛直方向に沿って位置する基材シート１１Ａの非接着領域１１Ｄに相対する位置に設けられた左右一対のガイド板６１と、各ガイド板６１の後面に設けられるとともに、非接触領域１１Ｄに接触可能なシート状の当接部材６２と、各ガイド板６１と側板２２とを連結するヒンジ部６３とを備えて構成されている。
【００３８】
前記当接部材６２は、厚み方向に収縮変形可能な部材とされ、フェルト材、布材、樹脂材、ゴム等が例示できる。当接部材６２は、基材シート１１Ａの繰り出し時に、側板２２に設けられたガイド板受け２２Ａとで非接触領域１１Ｄを挟んで摩擦抵抗を付与し、基材シート１１Ａを適度な張力に保ちつつ、基材シート１１Ａの垂れ下がりを抑制するようになっている。
【００３９】
前記ヒンジ部６３は、ガイド板６１を回動可能に支持している。具体的には、上述した基材シート１１Ａを挟む位置（図８（Ａ）参照）と、その位置から退避した位置（図８（Ｂ）参照）との間で回動可能になっている。これにより捕虫シートの掛け替えがより迅速に行うことができるうえ、ガイド板６１やガイド板受け２２Ａに付着した接着剤の除去が行いやすくなっている。
【００４０】
前記捕虫器１０は、図１に示される状態から、蛍光灯１８を発光させると、基材シート１１Ａ及び接着剤層１１Ｂを通じて外部に発せられる。すると、光に誘引されて虫が蛍光灯１８に近付くように飛来し、接着剤層１１Ｂに接触した虫が当該接着剤層１１Ｂに接着されて捕獲される。
【００４１】
このように一定期間捕虫を行った後、未使用の接着剤層１１Ｂを前方に表出させる場合、前記繰出手段３６の操作ハンドル５５を図４中矢印Ｒ１方向に回転操作すればよい。これにより、剥離シート回収軸４４が同矢印Ｒ１方向に回転し、剥離シート１１Ｂが巻き取られて回収される。この巻き取りにより、支持手段３３に支持されたロール状の捕虫シート１１が図４中矢印Ｒ２方向に繰り出され、剥離用ローラ４３通過時に剥離シート１１Ｃが順次剥離される。剥離シート１１Ｃが剥離されると同時に、基材シート１１Ａが蛍光灯１８の前方に繰り出され、未使用の接着剤層１１Ｂが表出する。このとき、前記ガイド板受け２２Ａとガイド板６１との間に非接着領域１１Ｄが位置し、基材シート１１Ａが下方に案内されて繰り出される。
【００４２】
ここで、前記操作ハンドル５５の回転操作により、ベルト５３を介して巻取軸４９が矢印Ｒ３方向に回転する。これにより、図７に示されるように、接着剤層１１Ｂが内側に向けられるように、使用済みの基材シート１１Ａが巻取軸４９に巻き取られる。なお、剥離シート回収軸４４に巻き取られた剥離シート１１Ｃの外径と、巻取軸４９に巻き取られた基材シート１１Ａの外径差による巻取速度（量）の違いは、巻取軸４９に設けられた図示しない滑り機構によって相殺されるようになっている。
【００４３】
このように、捕虫器１０において、単一の駆動源として操作ハンドル５５を回転することにより、剥離シート回収軸４４、ロール状の捕虫シート１１及び巻取軸４９が全て同時に回転する。この回転により、剥離手段３４による剥離シート１１Ｃの剥離及び回収と、誘引手段１２の前方位置への未使用の接着剤層１１Ｂのセットと、使用済みの基材シート１１Ａの回収とを同時に行えるようになる。
【００４４】
従って、このような実施形態によれば、虫を捕獲するための捕虫シート１１のセットと、不要となった剥離シート１１Ｂや基材シート１１Ａの回収とを同時に行うことができ、それらの作業を簡略且つ迅速に行うことが可能となる。また、従来のように、離型紙を直接手で摘んだり、使用済みの粘着フィルムの粘着面が表出した状態で回収する必要性を排除することができる。これにより、作業の容易化を図りつつ、衛生面において作業性を向上することが可能となる。
【００４５】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００４６】
例えば、誘引手段１２は、虫を誘引する作用を奏する限りにおいて種々の変更が可能であり、紫外線の光源や虫が好む匂いを発する装置に代替、若しくは、前記蛍光灯１８と併用することができる。また、紫外線の光源は蛍光灯１８に替えてＬＥＤ（発光ダイオード）によって構成してもよい。
【００４７】
また、撓み抑制手段として複数のローラ１５を用いたが、基材シート１１Ａの後部に位置して撓みを抑制できる限りにおいて変更可能であり、例えば、側板２２間に光を透過可能な樹脂板等を設けてもよい。
【００４８】
更に、繰出手段３６は、モータ等を用いて前記回転を自動的に行うようにしてもよい。
【００４９】
また、前記ガイド板６１は、ヒンジ部６３を介して非接着領域１１Ｄから離れるように移動可能としたが、例えば、本体フレーム１９にガイド板６１を着脱自在として移動する構造としてもよい。
【００５０】
更に、前記支持手段３３の支持軸３８、剥離シート回収軸４４及び巻取軸４９の少なくとも一つに、前述した繰り出し方向に逆行する方向に進行することを規制する逆転防止手段を設けてもよい。この逆転防止手段としては、ラチェット機構や、各軸に対するピン止め構造、ワンウェイクラッチ構造が例示できる。
【００５１】
また、図９及び図１０に示されるように、略鉛直方向に向けられた基材シート１１Ａの下側に、虫受け手段６５，７０を設けてもよい。図９の虫受け手段６５は、下ガイドローラ４６Ｂを通過した基材シート１１Ａを略水平前方に向かうようにガイドローラ６６によって案内しており、接着剤層１１Ｂに付着した虫が意図することなく落下しても、この虫受け手段６５によって収集できるようになっている。
図１０の虫受け手段７０は、脚部２７上に配置された別の捕虫シートからなり、当該捕虫シートの上面が接着剤面とされ、上記同様落下した虫を収集できるようになっている。
【００５２】
更に、図１１に示されるように、前記本体フレーム１９をスタンド７３を介して支持するようにし、当該スタンド７３を介して本体フレーム１９を上下方向及び回転方向に移動可能としてもよい。
また、スタンド７３の関節を増設することによって、上下、回転方向に加え左右、前後方向に移動可能とすることもできる。
更に、捕虫器１０は、自立タイプに限られず、壁や天井等に取り付け可能な構成としてもよい。
【００５３】
また、本実施形態では、捕虫シートとして３層構造の積層シートを用いて図示、説明したが、４層以上の積層シートであってもよい。
【図面の簡単な説明】
【００５４】
【図１】実施形態に係る捕虫器の概略斜視図。
【図２】図１を一部破断した概略斜視図。
【図３】図１の正面図。
【図４】図１の右側面図。
【図５】図１の平面図。
【図６】（Ａ）は、捕虫シートの正面図であり、（Ｂ）は、（Ａ）のＢ−Ｂ線に沿う断面図である。
【図７】図３のＣ−Ｃ線に沿う拡大断面図。
【図８】（Ａ）は、図３のＤ−Ｄ線に沿う拡大断面図であり、（Ｂ）は、（Ａ）の分解断面図。
【図９】変形例に係る捕虫器の部分右側面図。
【図１０】他の変形例に係る捕虫器の部分右側面図。
【図１１】更に他の変形例に係る捕虫器の正面図。
【符号の説明】
【００５５】
１０  捕虫器
１１  捕虫シート
１１Ａ  基材シート
１１Ｂ  接着剤層
１１Ｃ  剥離シート
１１Ｄ  非接着領域
１２  誘引手段
１３  保持手段
１５  ローラ（撓み抑制手段）
１９  本体フレーム
２９  コンセント
３３  支持手段
３４  剥離手段
３５  巻取手段
３６  繰出手段
４３  剥離用ローラ
４４  剥離シート回収装置（剥離シート回収軸）
４９  巻取軸
６５，７０  虫受け手段
７３  スタンド
【図１】
2008092803.tif 000003
【図２】
2008092803.tif 000004
【図３】
2008092803.tif 000005
【図４】
2008092803.tif 000006
【図５】
2008092803.tif 000007
【図６】
2008092803.tif 000008
【図７】
2008092803.tif 000009
【図８】
2008092803.tif 000010
【図９】
2008092803.tif 000011
【図１０】
2008092803.tif 000012
【図１１】
2008092803.tif 000013